(57)【要約】  【課題】  室内機本体に加湿装置を組み込む場合において、組み込まれた加湿装置は勿論のこと、室外機におけるドレン水の排水経路も、長期間にわたり、安定した状態で衛生的に保つことができるようにする。  【解決手段】  送風機、室内側熱交換器６及びこの室内側熱交換器からのドレン水を受けるドレンパン７を内蔵した室内機本体を備え、この室内機本体に加湿装置１３を組み込み、この加湿装置の加湿部で発生した湿気を室内機本体内に形成された調和空気の通風路へ供給して加湿と空気調和を行えるように構成した空気調和装置である。加湿装置１３は、給水管路２５を介して水道水が供給されると共にこの供給された水道水を電気分解して電解水を生成する電解水生成部１９と、加湿部２０と、電解水生成部で生成された電解水を加湿部へ導く電解水供給管路２７Ａ、２７Ｂと、加湿部に供給された電解水をドレンパンに導く電解水排水管路２８とを備えた構成としている。  【選択図】      図２
2006234204.tif 000002
【特許請求の範囲】
【請求項１】
室内に設置され、送風機、室内側熱交換器及びこの室内側熱交換器からのドレン水を受けるドレンパンを内蔵した室内機本体を備え、この室内機本体に加湿装置を組み込み、この加湿装置の加湿部で発生した湿気を前記室内機本体内に形成された調和空気の通風路へ供給して加湿と空気調和を行えるように構成した空気調和装置において、
前記加湿装置は、給水管路を介して水道水が供給されると共にこの供給された水道水を電気分解して電解水を生成する電解水生成部と、加湿部と、前記電解水生成部で生成された電解水を加湿部へ導く電解水供給管路と、前記加湿部に供給された電解水を前記ドレンパンに導く電解水排水管路とを備えたことを特徴とする空気調和装置。
【請求項２】
室内に設置され、送風機、室内側熱交換器及びこの室内側熱交換器からのドレン水を受けるドレンパンを内蔵した室内機本体を備え、この室内機本体に加湿装置を組み込み、この加湿装置の加湿部で発生した湿気を前記室内機本体内に形成された調和空気の通風路へ供給して加湿と空気調和を行えるように構成した空気調和装置において、
前記加湿装置は、給水管路を介して水道水が供給されると共にこの供給された水道水を電気分解して電解水を生成する電解水生成部と、加湿部と、前記電解水生成部で生成された電解水を加湿部へ導く電解水供給管路と、前記加湿部に供給された電解水を前記ドレンパンに導く電解水排水管路と、前記電解水生成部からの電解水が前記加湿部をバイパスしてドレンパンに導かれるように電解水供給管路の途中から分岐されたバイパス管路とを備えたことを特徴とする空気調和装置。
【請求項３】
前記電解水供給管路の途中の分岐部に、電解水生成部からの電解水の流路を加湿部側か、或いはパイパス管路側に切換える流路切換え機構を設けたことを特徴とする請求項２に記載の空気調和装置。
【請求項４】
前記給水管路の途中には、電解水生成部への給水量を制御する電動流量調節弁が設けられていることを特徴とする請求項１又は２に記載の空気調和装置。
【請求項５】
前記電解水排水管路の先端出口部を、前記ドレンパンのドレン水排出部から離反する位置に臨ませる構成としたことを特徴とする請求項１又は２に記載の空気調和装置。
【発明の詳細な説明】
【技術分野】
【０００１】
本発明は、室内を冷暖房する空気調和装置に関し、特に加湿装置を組み込んで加湿も行えるようにした空気調和装置に関する。
【背景技術】
【０００２】
従来、室内の天井に設置される天井埋込型の空気調和装置の室内機本体に気化式の加湿装置を組み込み、この加湿装置で気化された水蒸気（湿気）を室内機本体内に形成された調和空気の通風路に供給して、被調和室の空調と加湿が行えるようにした空気調和装置が知られている（例えば、特許文献１参照）。
【０００３】
また、室内機に加湿装置を組み込んで空調と加湿が行えるようにした空気調和装置において、加湿装置の余分な加湿水をドレンパンのドレン口を通じて排水可能とした空気調和装置も知られている（例えば、特許文献２参照）。
【特許文献１】特開２００１−３２４１８０号公報
【特許文献２】特開２００３−７４９１５号公報
【発明の開示】
【発明が解決しようとする課題】
【０００４】
しかしながら、上述した従来構成の空気調和装置においては、加湿装置の加湿部に細菌やカビ等の微生物が繁殖する心配があり、加湿装置自体や室内機本体内、さらには、被調和室の室内環境を、衛生的に保つことが甚だ困難であった。
【０００５】
また、この種の空気調和装置の室内機においては、室内側熱交換器の凝縮水(以下、ドレン水という)が貯溜するドレンパンや、そのドレン水を外部へ排出するドレンホースなどに、細菌やカビ等の微生物が繁殖し、それら微生物の繁殖によってドレン水排水経路内に推積膜が形成されることが多々あり、それらが原因となって配管詰まりが発生することがある。そのため、従来から、ドレン水が接するドレンパンの内側表面などに、抗菌剤や防カビ剤などの薬剤を用いた薬剤被膜形成処理を施すことが行われている。しかし、このような薬剤処理では、長期間の使用により、薬剤溶出などの処理面の劣化や、汚れの付着などによって、抗菌・防カビ効果が徐々に薄れてくる難点があった。
【０００６】
本発明は、上述の実情に鑑みてなされたものであり、室内機本体に加湿装置を組み込む場合において、組み込まれた加湿装置は勿論のこと、室内機におけるドレン水の排水経路も、長期間にわたり、安定した状態で衛生的に保つことができるようにすることを目的としている。
【課題を解決するための手段】
【０００７】
請求項１に記載の本発明では、室内に設置され、送風機、室内側熱交換器及びこの室内側熱交換器からのドレン水を受けるドレンパンを内蔵した室内機本体を備え、この室内機本体に加湿装置を組み込み、この加湿装置の加湿部で発生した湿気を前記室内機本体内に形成された調和空気の通風路へ供給して加湿と空気調和を行えるように構成した空気調和装置において、前記加湿装置は、給水管路を介して水道水が供給されると共にこの供給された水道水を電気分解して電解水を生成する電解水生成部と、加湿部と、前記電解水生成部で生成された電解水を加湿部へ導く電解水供給管路と、前記加湿部に供給された電解水を前記ドレンパンに導く電解水排水管路とを備えたことを特徴とする。
【０００８】
請求項２に記載の本発明では、室内に設置され、送風機、室内側熱交換器及びこの室内側熱交換器からのドレン水を受けるドレンパンを内蔵した室内機本体を備え、この室内機本体に加湿装置を組み込み、この加湿装置の加湿部で発生した湿気を前記室内機本体内に形成された調和空気の通風路へ供給して加湿と空気調和を行えるように構成した空気調和装置において、前記加湿装置は、給水管路を介して水道水が供給されると共にこの供給された水道水を電気分解して電解水を生成する電解水生成部と、加湿部と、前記電解水生成部で生成された電解水を加湿部へ導く電解水供給管路と、前記加湿部に供給された電解水を前記ドレンパンに導く電解水排水管路と、前記電解水生成部からの電解水が前記加湿部をバイパスしてドレンパンに導かれるように電解水供給管路の途中から分岐されたバイパス管路とを備えたことを特徴とする。
【０００９】
請求項３に記載の本発明では、請求項２に記載の空気調和装置において、前記電解水供給管路の途中の分岐部に、電解水生成部からの電解水の流路を加湿部側か、或いはパイパス管路側に切換える流路切換え機構を設けたことを特徴とする。
【００１０】
請求項４に記載の本発明では、請求項１又は２に記載の空気調和装置において、前記給水管路の途中には、電解水生成部への給水量を制御する電動流量調節弁が設けられていることを特徴とする。
【００１１】
請求項５に記載の本発明では、請求項１又は２に記載の空気調和装置において、前記電解水排水管路の先端出口部を、前記ドレンパンのドレン水排出部から離反する位置に臨ませる構成としたことを特徴とする。
【発明の効果】
【００１２】
請求項１に記載の本発明によれば、加湿時には、電解水生成部で生成された電解水が加湿部に供給された後、その電解水の一部が室内側熱交換器のドレン水を受容するドレンパンに導かれ、そして、外部へ排水されるため、室内機本体に組み込まれる加湿装置自体はもちろんのこと、室内機のドレン水の排水経路も、長期間にわたり、安定した状態で衛生的に保つことが可能になると共に、ドレン水の排水経路における配管詰まりなどの不具合も未然に防止することができる。また、加湿装置やドレンパン等において、次亜塩素酸などの活性酸素種を含んだ電解水に接触した空気が、室内を空調する調和空気に合流して室内に放出されるため、室内空気の除菌や消臭効果も期待できるものである。
【００１３】
また、請求項２に記載の本発明によれば、請求項１に記載の効果に加えて、夏季などの加湿不要時には、電解水生成部で生成された電解水を、加湿部をバイパスさせてドレンパンに導くことが可能であるため、冷房運転時や除湿運転時などの加湿が不要な場合でも、ドレン水の排水経路を衛生的に保つことができ、オールシーズンにわたって、室内機を衛生的に保つことができると共に室内環境も良好に維持することが可能な空気調和装置を提供できる。
【発明を実施するための最良の形態】
【００１４】
空気調和装置の室内機本体に加湿装置を組み込む場合において、組み込まれた加湿装置自体は勿論のこと、室内機におけるドレン水の排水経路も、長期間にわたり、安定した状態で衛生的に保つことができるようにするという目的を、室内に設置され、送風機、室内側熱交換器及びこの室内側熱交換器からのドレン水を受けるドレンパンを内蔵した室内機本体を備え、この室内機本体に加湿装置を組み込み、この加湿装置の加湿部で発生した湿気を前記室内機本体内に形成された調和空気の通風路へ供給して加湿と空気調和を行えるように構成した空気調和装置において、前記加湿装置は、給水管路を介して水道水が供給されると共にこの供給された水道水を電気分解して電解水を生成する電解水生成部と、加湿部と、前記電解水生成部で生成された電解水を加湿部へ導く電解水供給管路と、前記加湿部に供給された電解水を前記ドレンパンに導く電解水排水管路とを備えることで実現した。
【００１５】
また、上記目的を、室内に設置され、送風機、室内側熱交換器及びこの室内側熱交換器からのドレン水を受けるドレンパンを内蔵した室内機本体を備え、この室内機本体に加湿装置を組み込み、この加湿装置の加湿部で発生した湿気を前記室内機本体内に形成された調和空気の通風路へ供給して加湿と空気調和を行えるように構成した空気調和装置において、前記加湿装置は、給水管路を介して水道水が供給されると共にこの供給された水道水を電気分解して電解水を生成する電解水生成部と、加湿部と、前記電解水生成部で生成された電解水を加湿部へ導く電解水供給管路と、前記加湿部に供給された電解水を前記ドレンパンに導く電解水排水管路と、前記電解水生成部からの電解水が前記加湿部をバイパスしてドレンパンに導かれるように電解水供給管路の途中から分岐されたバイパス管路とを備えることで実現した。
【実施例１】
【００１６】
以下、本発明の第１実施例を図１及び図２の図面に基づき説明する。図１は本発明の第１実施例に係る空気調和装置を室内に設置した状態の縦面側面図、図２は本発明の第１実施例に係る空気調和装置を説明するための説明図である。
【００１７】
図１において、１は天井埋込型で４方向吹き出しタイプの空気調和装置の室内機であり、この室内機１は板金製で箱形の室内機本体１Ａを備え、この室内機本体１Ａは複数本の吊りボルト２を介して被調和室の天井３の裏空間に吊り下げられている。
【００１８】
前記室内機本体１Ａは、下面側が開放され、天井３に埋め込まれた際にその下面側の開放面が被調和室に対向する。また、前記室内機本体１には、モータ５Ａ及び送風ファン５Ｂにて構成される送風機５と、この送風機５の外周に配される多角形状（５角形状）に折り曲げられた室内側熱交換器６と、この室内側熱交換器６の下側に配されて室内側熱交換器６からのドレン水を受容するドレンパン７とが内蔵されており、このドレンパン７の中央開口部７Ａにはベルマウス８が設けられている。
【００１９】
前記室内機本体１Ａの下面側には、四角形状の化粧パネル１１が取り付けられており、この化粧パネル１１には、四角形状の中央吸い込み口９と、この吸い込み口９の４辺の口縁部に対応するように調和空気の吹き出し方向を４方向とする４個の横長な吹き出し口１０、１０が形成されている。また、前記中央吸い込み口９の内側には、塵や埃等の侵入を防ぐフィルタ１２が着脱可能に装着されている。また、前記室内機本体１Ａの内部には、前記中央吸い込み口９から吹き出し口１０、１０に至る調和空気の通風路Ｘが形成されている。
【００２０】
前記ドレンパン７の上面部には、室内側熱交換器６の下端部が介挿される多角形状のドレン水受け溝部７Ｂが連続的に形成されている。そして、ドレン水受け溝部７Ｂに貯溜したドレン水は、水位センサ（図示せず）による所定以上の水位の検出により、図２に示すように、吸い込み口Ｐ１（ドレン水排出部）からドレンポンプＰで汲み上げられて、ドレンホースＨを介して外部へ排水される。
【００２１】
前記空気調和装置の室内機１は、圧縮機、室外側熱交換器、四方切換え弁及び室外側送風機等を内蔵した室外機（何れも図示せず）と冷媒配管で接続されることにより、冷媒を循環させる冷凍サイクルが形成される。そして、室内機１は、内蔵した室内機制御装置Ｓ１によって、冷房運転、暖房運転、除湿運転、或いは自動運転などの各種の運転モードで運転される。
【００２２】
前記室内機制御装置Ｓ１は、室外機の制御装置（共に図示せず）と通信線を介して各種運転信号の送受信を行うと共に、通信線を介して、或いは無線により、リモートコントローラＲからの各種操作信号や各種運転信号を受信可能としている。
【００２３】
そして、前記リモートコントローラＲは、図２に示すように、空気調和装置による空調運転のための各種操作スイッチや、後述する加湿装置１３の運転のための加湿運転の入り切りスイッチＫＳ及び電解水供給運転の入り切りスイッチＤＳを備えると共に、各種の運転表示や設定温度表示、室温表示、時刻表示、警報表示などを行う表示部Ｙを備えている。
【００２４】
ここで、例えば、暖房運転が開始されると、室内機１の室内側熱交換器６には高温高圧のガス冷媒が流れて、室内側熱交換器６が凝縮器として作用し、送風機５の駆動により、室内空気が中央吸い込み口９、フィルタ１２、送風ファン５Ｂ、室内側熱交換器６、吹き出し口１０の順に通風路Ｘを流れ、室内側熱交換器６で熱交換して暖められた調和空気が吹き出し口１０から被調和室に吹き出されて暖房が行われる。
【００２５】
ところで、冷房運転時や除湿運転時においては、四方切換え弁（図示せず）による冷媒流路の切換動作にともなって、前記室内側熱交換器６には低温低圧の液冷媒が流れ、この室内側熱交換器６が蒸発器として作用し、上述したように、調和空気が通風路Ｘを流れて、冷房運転や除湿運転が行われる。
【００２６】
上記した冷房運転時や除湿運転時においては、室内側熱交換器６が蒸発器として作用して吸熱する関係上、室内空気中の湿気が室内側熱交換器６の表面で凝縮して結露し、ドレン水が生じる。このドレン水は、室内側熱交換器６の表面を伝わってドレンパン７のドレン水受け溝部７Ｂに流下し、貯溜される。
【００２７】
このドレン水受け溝部７Ｂに貯溜されたドレン水は、上述と同様に、ドレンポンプＰの吸い込み口Ｐ１（ドレン水排出部）から汲み上げられ、ドレンホースＨを介して外部へ排水される。
【００２８】
次に、上記した室外機１に、本発明の特徴である加湿装置１３を組み込んだ空気調和装置について説明する。
【００２９】
図１に示すように、本発明の空気調和装置は、室外機本体１Ａ内における室内側熱交換器６の風下側の通風路Ｘに、前記加湿装置１３からの加湿空気が放出されるように加湿装置１３を室外機本体１Ａに組み込む構成としている。
【００３０】
即ち、室外機本体１Ａの周側壁の適所に加湿装置１３の外装体１３Ａが挿通可能な大きさと形状の貫通穴１４を形成し、この貫通穴１４に加湿装置１３の外装体１３Ａの前方部分を貫通させた状態で、外装体１３Ａを室内機本体１Ａの周側壁に固定装着する。
【００３１】
前記加湿装置１３について、図２を用いてさらに詳述する。この加湿装置１３は、放出口１５及び吸気口１６が形成された矩形箱体状の外装体１３Ａ内に、減圧弁１７、電動流量調節弁１８、電解水生成部１９、流路切換え弁２２、加湿部２０、加湿用送風機２１及び加湿装置用制御器Ｓ２等を収容してなる概略構成である。
【００３２】
前記電解水生成部１９は、タンク２３及びこのタンク２３に貯溜される水を電気分解する一対の電極２４、２４を備えて構成されており、この電解水生成部１９のタンク２３には、基部が市水道に配管接続される共にその途中に前記減圧弁１７及び電磁開閉弁にてなる電動流量調節弁１８がその順に介装された給水管路２５を介して水道水が供給される。
【００３３】
前記減圧弁１７は水道水の圧力を所望の一定圧に減圧させる。前記電動流量調節弁１８は電解水生成部１９への給水の開始と停止、並びに一定時間（例えば、２０分）当たりの開時間の割合を変化させる等して、給水量を調節する。前記加湿装置用制御器Ｓ２は、前記加湿用送風機２１の駆動制御、電動流量調節弁１８の開閉制御、電解水生成部１９の電極２４、２４への通電制御、流路切換え弁２２の流路切換え制御を実行するものである。
【００３４】
前記加湿部２０は、加湿水槽２０Ａと、この加湿水槽２０Ａ内の水（電解水）に下部を浸して設置された気化用フィルタ２０Ｂとを備えて構成されている。前記気化用フィルタ２０Ｂには、前記電解水生成部１９にて生成された電解水が、上流部電解水供給管路２７Ａ、流路切換え弁２２及び下流部電解水供給管路２７Ｂを介して上から飛散されるように供給される。
【００３５】
２８は、前記加湿水槽２０Ａの側壁上部に基端部が接続された電解水排水管路であり、この電解水排水管路２８の先端出口部２８Ａは、前記ドレンポンプＰの吸い込み口Ｐ１（ドレン水排出部）から最も離れたドレンパン７の反対側に位置するように、前記ドレン水受け溝部７Ｂに臨ませている。
【００３６】
２７Ｃはバイパス管路であり、このバイパス管路２７Ｃは、それの一端側が前記上流部電解水供給管路２７Ａと下流部電解水供給管路２７Ｂとの間で分岐され、それの先端側が前記加湿部２０をバイパスしてドレンパン７に直接導かれるように、前記電解水排水管路２８の途中に合流させている。
【００３７】
そして、前記バイパス管路２７Ｃの分岐部、即ち、上流部電解水供給管路２７Ａと下流部電解水供給管路２７Ｂとの中間の分岐部には、前記電解水生成部１９からの電解水の流路を加湿部２０側か、或いはパイパス管路２７Ｃ側に切換える前記した流路切換え弁（流路切換え機構）２２を設けている。
【００３８】
前記流路切換え弁２２は、前記加湿装置用制御器Ｓ２に加湿運転の開始信号が入力される加湿装置１３の加湿運転時に、上流部電解水供給管路２７Ａにおける電解水の流路を、加湿部２０側となる下流部電解水供給管路２７Ｂ側と成し、一方、前記加湿装置用制御器Ｓ２に電解水供給運転の開始信号が入力される加湿装置１３の非加湿運転時に、上流部電解水供給管路２７Ａにおける電解水の流路を、バイパス管路２７Ｃ側へ切換えるように切換え動作する。
【００３９】
前記加湿用送風機２１は、前記加湿装置用制御器Ｓ２に加湿運転の開始信号が入力されると駆動される。そして、前記気化用フィルタ２０Ｂに浸透した電解水は、前記加湿用送風機２１の駆動に伴い、気化用フィルタ２０Ｂを通過する風により強制的に気化されて、水蒸気となる。
【００４０】
前記気化用フィルタ２０Ｂで気化された電解水の水蒸気と前記加湿用送風機２１からの風は、加湿空気として、前記放出口１５を介して室外機本体１Ａ内の通風路Ｘに送り込まれて、加湿作用を成すものである。
【００４１】
前記電動流量調節弁１８は、前記加湿装置用制御器Ｓ２に加湿運転の入り切り信号及び電解水供給運転の入り切り信号が入力されると開閉制御される。
【００４２】
また、前記加湿装置用制御器Ｓ２は、前記室内機制御装置Ｓ１と通信線を介して接続され、前記リモートコントローラＲからの加湿運転の入り切り信号及び電解水供給運転の入り切り信号が、前記室内機制御装置Ｓ１を中継して入力されるように構成されている。
【００４３】
次に、電解水生成部１９について、さらに詳述すると、前記タンク２３に貯溜される水道水を電気分解する一対の電極２４、２４は、例えばベースがＴｉ（チタン）で皮膜層がＩｒ（イリジウム）、Ｔａ（タンタル）、Ｐｔ（白金）から構成されており、この電極２４に印加する通電電流を約４０ミリアンペアとし、所定の遊離残留塩素濃度（例えば１ｐｐｍ）を発生させて、除菌作用を持つ電解水を生成させるものである。また、電極２４への通電は、電極２４の耐久性向上を考慮すると、所定の周期でその極性を切替えるのが望ましい。
【００４４】
具体的には、例えば、加湿運転時には、前記電極２４に５０秒間通電し、１３０秒間非通電にし、極性を切替えて５０秒間通電するという周期で、通電と非通電とを繰り返えす。このように加湿装置制御器Ｓ２が前記電極２４の通電制御を行うと、前記タンク２３に貯溜されている水は、陽極では、４Ｈ＋＋４ｅ−＋（４ＯＨ−）が、２Ｈ２＋（４ＯＨ−）となり、陰極では、２Ｈ２Ｏ＋が、４Ｈ＋Ｏ２４ｅ−となり、同時に水道水に含まれる塩素は、陽極では、２Ｃｌ−が、Ｃｌ２＋２ｅ−となり、また、このＣｌ２（塩素）は、水に溶け易いことから、さらにＣｌ２＋Ｈ２Ｏが、ＨＣｌＯ＋ＨＣｌになる。
【００４５】
そのため、電極２４を通電制御することにより、除菌力に優れたＨＣｌＯ（次亜塩素酸）が発生することになり、このＨＣｌＯ（次亜塩素酸）を適宜な濃度で含む電解水がタンク２３内に生成貯溜されることとなる。
【００４６】
このように、電解水生成部１９で生成された除菌作用に優れたＨＣｌＯ（次亜塩素酸）を適宜な濃度で含む電解水は、図２中の実線矢印で示すように、加湿装置１３の加湿運転中において、電動流量調節弁１８の開動作によってタンク２３に供給される水道水の水圧で、タンク２３から、上流部電解水供給管路２７Ａ、流路切換え弁２２及び下流部電解水供給管路２７Ｂを介して加湿部２０側へ流れ、加湿部２０の気化用フィルタ２０Ｂに飛散供給され、加湿用送風機２１からの風で強制的に気化されて加湿作用を成すと共に、気化用フィルタ２０Ｂ並びに加湿水槽２０Ａの除菌作用を成すものである。
【００４７】
ここで、前記加湿装置用制御器Ｓ２は、前記電動流量調節弁１８による電解水生成部１９への給水量が、気化用フィルタ２０Ｂの気化能力以上になるように、前記電動流量調節弁１８を開閉制御している。そのため、加湿部２０に供給される電解水の一部が、加湿水槽２０Ａをオーバーフローする。
【００４８】
そして、オーバーフローした電解水は、電解水排水管路２８を介して前記ドレンパン７のドレン水受け溝部７Ｂに排水され、このドレンパン７に貯溜されるため、ドレンパン７の除菌作用を成すとともに、ドレンポンプＰで汲み出されて、ドレンホースＨの除菌作用を成す。
【００４９】
ところで、空気調和装置が冷房運転或いは除湿運転を行う場合には、加湿装置１３の加湿運転は必要でないが、この冷房運転時或いは除湿運転時には、前記室内側熱交換器６が蒸発器として作用して吸熱するので、多量のドレン水が生じ、しかも、空調運転の停止に伴い、室内機１の内部が温度上昇して、ドレンパン７内のドレン水に細菌やカビなどが増殖しやすくなる。
【００５０】
そのため、本実施例では、空気調和装置の冷房運転時或いは除湿運転時に、加湿装置１３の加湿運転を行わずに、前記電解水生成部１９で生成された電解水をドレン水の排水経路に供給するため、前記したリモートコントローラＲに電解水供給運転の入り切りスイッチＤＳを設けている。
【００５１】
次に、前記電解水供給運転の入り切りスイッチＤＳのオン操作時の動作を説明する。この入り切りスイッチＤＳのオン信号が、前記室内機制御装置Ｓ１を中継して加湿装置用制御器Ｓ２に入力されると、この加湿装置用制御器Ｓ２は、加湿用送風機２１への通電を停止した状態で、前記電動流量調節弁１８の開閉制御及び電解水生成部１９の電極２４の通電制御を行うと共に、流路切換え弁２２の流路切換え制御を行う。
【００５２】
従って、前記電解水生成部１９で生成された除菌作用に優れた電解水は、図２中の破線矢印で示すように、電動流量調節弁１８の開動作によってタンク２３に供給される水道水の水圧で、タンク２３から、上流部電解水供給管路２７Ａ、流路切換え弁２２及びパイパス管路２７Ｃを介して電解水排水管路２８へ流れ、この電解水排水管路２８を介して前記ドレンパン７のドレン水受け溝部７Ａに排水され、このドレンパン７に貯溜されて、ドレンパン７の除菌作用を成すとともに、ドレンポンプＰで汲み出されて、ドレンホースＨの除菌作用を成すものである。
【実施例２】
【００５３】
次に、本発明の第２実施例を図３の図面に基づき説明する。図３は本発明の第２実施例の空気調和装置を説明する説明図であり、上記第１実施例と同一構成要素には、同一符号を附してその説明を省略する。即ち、この第２実施例が第１実施例と異なる点は、前記ドレンパン７のドレン水受け溝部７Ｂに貯溜したドレン水が、第１実施例のように、ドレンポンプを用いることなく、ドレンパン７の一端部に設けたドレン水排水口３０（ドレン水排出部）からドレンホースＨを介して外部へ排水される点である。この第２実施例においても、前記加湿水槽２０Ａの側壁上部に基端部が接続された電解水排水管路２８の先端出口部２８Ａを、前記ドレン水排水口３０（ドレン水排出部）から最も離れたドレンパン７の反対側に位置するように、前記ドレン水受け溝部７Ｂに臨ませている。
【００５４】
こうすることで、加湿水槽２０Ａからオーバーフローした電解水は、ドレン水排水口３０から最大限離れた所のドレンパン７へ流れ出す。従って、除菌性に優れた電解水がドレンパンの広範囲に接触し、室内機１におけるドレン水の排水経路を広範囲にわたって効率良く除菌できる。
【００５５】
以上、本発明の実施例について説明したが、上述の説明に基づいて当業者にとって種々の代替例、修正又は変形が可能である。例えば、空気調和装置の室内機としては、４方向吹き出しタイプの天井埋込型に限らず、２方向吹き出しタイプ、或いは１方向吹き出しタイプでも良く、また、天吊り型の室内機であっても、壁掛け型の室内機であっても良い。さらに、加湿装置は、気化部が気化用フィルタを備えた気化式のものに限定されるものではなく、加湿水を霧化して加湿作用を成す霧化式のものであっても良い。なお、本発明は、趣旨を逸脱しない範囲で前述の種々の代替例、修正又は変形を包含するものである。
【図面の簡単な説明】
【００５６】
【図１】本発明の第１実施例の空気調和装置を設置した状態の縦面側面図である。
【図２】同じく空気調和装置を説明するための説明図である。
【図３】本発明の第２実施例に係る空気調和装置を説明するための説明図である。
【符号の説明】
【００５７】
１        室内機
１Ａ      室内機本体
５        送風機
６        室内側熱交換器
７        ドレンパン
９        吸い込み口
１０        吹き出し口
１３        加湿装置
１８        電動流量調節弁
１９        電解水生成部
２０        加湿部
２０Ａ      加湿水槽
２０Ｂ      気化用フィルタ
２１        加湿用送風機
２２        流路切換え弁（流路切換え機構）
２３        電解水生成部のタンク
２４        電極
２５        給水管路
２７Ａ      上流部電解水供給管路（電解水供給管路）
２７Ｂ      下流部電解水供給管路（電解水供給管路）
２７Ｃ      バイパス管路
２８        電解水排水管路
２８Ａ      先端出口部
Ｓ１      室内機制御装置
Ｓ２      加湿装置用制御装置
Ｒ        リモートコントローラ
Ｘ        通風路
【図１】
2006234204.tif 000003
【図２】
2006234204.tif 000004
【図３】
2006234204.tif 000005